(57)【要約】【課題】映像再生装置において、簡単な操作によって、映像の再生地点を様々なスキップ量でスキップさせることができ、ユーザの所望する映像シーンを容易に再生できる。【解決手段】映像再生装置は、数値を選択するための数字キーとスキップを指令するためのスキップキーを有する。映像の再生中に数字キーが押され、その後、スキップキーが押されると、スキップキーの押下時間が短いときは、数字キーで選択された数値の秒数をスキップ量とし、スキップキーの押下時間が長いときは、数字キーで選択された数値の分数（ふんすう）をスキップ量として、スキップ処理を行う。映像の再生中に数字キーが押されると、選択された数値を示す画像３２ａを再生映像３１ｂに重ねて表示し、その後、スキップキーが押されると、スキップする秒数を示す画像３２ｂ又はスキップする分数（ふんすう）を示す画像３２ｃを再生映像３１ｃ又は再生映像３１ｅに重ねて表示する。【選択図】図５
2006041758.tif 000002
【特許請求の範囲】
【請求項１】
放送局から配信されるテレビ放送信号を受信する受信手段と、前記テレビ放送信号に含まれるテレビ番組の映像を録画するためのハードディスクと、前記受信手段で受信したテレビ放送信号を基に、前記テレビ番組の映像を本装置に接続されるディスプレイに映し出すための映像信号を生成する受信信号復調手段と、前記受信信号復調手段により生成された映像信号を基に、前記テレビ番組の映像を前記ハードディスクに記録するための映像符号化信号を生成する符号化信号生成手段と、前記符号化信号生成手段により生成された映像符号化信号を前記ハードディスクに記録する記録手段と、前記ハードディスクから前記映像符号化信号を読取る読取手段と、前記読取手段で読取った映像符号化信号を基に、前記ディスプレイにて映像を再生するための映像信号を生成する映像信号生成手段と、前記読取手段による映像符号化信号の読取り及び前記映像信号生成手段による映像信号の生成を制御することにより前記ディスプレイでの映像の再生を制御する制御手段と、前記制御手段による映像の再生地点をスキップさせるためにユーザにより操作される操作手段とを備え、前記制御手段は、前記操作手段の操作に応じて映像の再生地点をスキップさせるスキップ処理を実行する映像再生装置において、
前記操作手段は、時間の数値を選択するために操作される数字キーと、スキップの指令を与えるために押下操作されるスキップキーとを有し、
前記制御手段は、
映像の再生中に前記数字キーが操作されることにより選択された数値及び該数字キー操作の後に操作される前記スキップキーの押し下げ時間に応じて、押し下げ時間が所定時間よりも短いときは、前記数値の秒数をスキップ量として設定し、押し下げ時間が所定時間よりも長いときは、前記数値の分数（ふんすう）をスキップ量として設定するスキップ量設定手段と、
映像の再生中に前記数字キーが操作されたとき、該数字キーの操作により選択された数値を前記ディスプレイに表示し、その後、前記スキップ量設定手段により設定された秒数又は分数（ふんすう）を前記ディスプレイに表示する表示制御手段とを備え、
前記スキップ量設定手段により設定されたスキップ量にて前記スキップ処理を実行することを特徴とする映像再生装置。
【請求項２】
映像を符号化した映像符号化信号が記録された記録媒体から前記映像符号化信号を読取る読取手段と、前記読取手段で読取った映像符号化信号を基に、本装置に接続されるディスプレイにて前記映像を再生するための映像信号を生成する映像信号生成手段と、前記読取手段による映像符号化信号の読取り及び前記映像信号生成手段による映像信号の生成を制御することにより前記ディスプレイでの映像の再生を制御する制御手段と、前記制御手段による映像の再生地点をスキップさせるためにユーザにより操作される操作手段とを備え、前記制御手段は、前記操作手段の操作に応じて映像の再生地点をスキップさせるスキップ処理を実行する映像再生装置において、
前記操作手段は、時間の数値を選択するために操作される数字キーと、スキップの指令を与えるために操作されるスキップキーとを有し、
前記制御手段は、前記数字キーが操作されることにより選択された数値及び前記スキップキーの操作時間に応じて、該操作時間が所定時間よりも短いときは、前記数値と第１の対応関係がある時間をスキップ量として設定し、該操作時間が所定時間よりも長いときは、前記数値と前記第１の対応関係とは異なる第２の対応関係がある時間をスキップ量として設定することを特徴とする映像再生装置。
【請求項３】
放送局から配信されるテレビ放送信号を受信する受信手段と、前記テレビ放送信号に含まれるテレビ番組の映像を録画するためのハードディスクと、前記受信手段で受信したテレビ放送信号を基に、前記テレビ番組の映像を本装置に接続されるディスプレイに映し出すための映像信号を生成する受信信号復調手段と、前記受信信号復調手段により生成された映像信号を基に、前記テレビ番組の映像を前記ハードディスクに記録するための映像符号化信号を生成する符号化信号生成手段と、前記符号化信号生成手段により生成された映像符号化信号を前記ハードディスクに記録する記録手段と、前記ハードディスクから前記映像符号化信号を読取る読取手段と、前記読取手段で読取った映像符号化信号を基に、前記ディスプレイにて映像を再生するための映像信号を生成する映像信号生成手段と、前記読取手段による映像符号化信号の読取り及び前記映像信号生成手段による映像信号の生成を制御することにより前記ディスプレイでの映像の再生を制御する制御手段と、前記制御手段による映像の再生地点をスキップさせるためにユーザにより操作される操作手段とを備え、前記制御手段は、前記操作手段の操作に応じて映像の再生地点をスキップさせるスキップ処理を実行する映像再生装置において、
前記操作手段は、時間の数値を選択するために操作される数字キーと、スキップの指令を与えるために操作されるスキップキーと、映像の早送り再生の指令を与えるために操作されるサーチキーとを有し、
前記制御手段は、
映像の再生中に前記数字キーが操作されることにより選択された数値及び該数字キー操作の後に操作される前記スキップキー又はサーチキーの操作に応じて、前記スキップキーが操作されたときは、前記数値の秒数をスキップ量として設定し、前記サーチキーが操作されたときは、前記数値の分数（ふんすう）をスキップ量として設定するスキップ量設定手段と、
映像の再生中に前記数字キーが操作されたとき、該数字キーの操作により選択された数値を前記ディスプレイに表示し、その後、前記スキップ量設定手段により設定された秒数又は分数（ふんすう）を前記ディスプレイに表示する表示制御手段とを備え、
前記スキップ量設定手段により設定されたスキップ量にて前記スキップ処理を実行することを特徴とする映像再生装置。
【請求項４】
映像を符号化した映像符号化信号が記録された記録媒体から前記映像符号化信号を読取る読取手段と、前記読取手段で読取った映像符号化信号を基に、本装置に接続されるディスプレイにて前記映像を再生するための映像信号を生成する映像信号生成手段と、前記読取手段による映像符号化信号の読取り及び前記映像信号生成手段による映像信号の生成を制御することにより前記ディスプレイでの映像の再生を制御する制御手段と、前記制御手段による映像の再生地点をスキップさせるためにユーザにより操作される操作手段とを備え、前記制御手段は、前記操作手段の操作に応じて映像の再生地点をスキップさせるスキップ処理を実行する映像再生装置において、
前記操作手段は、時間の数値を選択するために操作される数字キーと、スキップの指令を与えるために操作されるスキップキーと、映像の早送り再生の指令を与えるために操作されるサーチキーとを有し、
前記制御手段は、前記数字キーが操作されることにより選択された数値及び前記スキップキー又はサーチキーの操作に応じて、前記スキップキーが操作されたときは、前記数値と第１の対応関係がある時間をスキップ量として設定し、前記サーチキーが操作されたときは、前記数値と前記第１の対応関係とは異なる第２の対応関係がある時間をスキップ量として設定することを特徴とする映像再生装置。
【請求項５】
放送局から配信されるテレビ放送信号を受信する受信手段と、前記テレビ放送信号に含まれるテレビ番組の映像を録画するためのハードディスクと、前記受信手段で受信したテレビ放送信号を基に、前記テレビ番組の映像を本装置に接続されるディスプレイに映し出すための映像信号を生成する受信信号復調手段と、前記受信信号復調手段により生成された映像信号を基に、前記テレビ番組の映像を前記ハードディスクに記録するための映像符号化信号を生成する符号化信号生成手段と、前記符号化信号生成手段により生成された映像符号化信号を前記ハードディスクに記録する記録手段と、前記ハードディスクから前記映像符号化信号を読取る読取手段と、前記読取手段で読取った映像符号化信号を基に、前記ディスプレイにて映像を再生するための映像信号を生成する映像信号生成手段と、前記読取手段による映像符号化信号の読取り及び前記映像信号生成手段による映像信号の生成を制御することにより前記ディスプレイでの映像の再生を制御する制御手段と、前記制御手段による映像の再生地点をスキップさせるためにユーザにより操作される操作手段とを備え、前記制御手段は、前記操作手段の操作に応じて映像の再生地点をスキップさせるスキップ処理を実行する映像再生装置において、
前記操作手段は、スキップの指令を与えるために押下操作されるスキップキーを有し、
前記制御手段は、
映像の再生中に前記スキップキーが押下された後に押下解除されると、前記スキップキーの押下時間がｎ秒であった場合、ｎ分をスキップ量として設定するスキップ量設定手段と、
映像の再生中に前記スキップキーが押下されている間、前記スキップ量設定手段により前記スキップキーを押下解除したときに設定されるスキップ量を前記ディスプレイに表示する表示制御手段とを備え、
前記スキップ量設定手段により設定されたスキップ量にて前記スキップ処理を実行することを特徴とする映像再生装置。
【請求項６】
映像を符号化した映像符号化信号が記録された記録媒体から前記映像符号化信号を読取る読取手段と、前記読取手段で読取った映像符号化信号を基に、本装置に接続されるディスプレイにて前記映像を再生するための映像信号を生成する映像信号生成手段と、前記読取手段による映像符号化信号の読取り及び前記映像信号生成手段による映像信号の生成を制御することにより前記ディスプレイでの映像の再生を制御する制御手段と、前記制御手段による映像の再生地点をスキップさせるためにユーザにより操作される操作手段とを備え、前記制御手段は、前記操作手段の操作に応じて映像の再生地点をスキップさせるスキップ処理を実行する映像再生装置において、
前記操作手段は、スキップの指令を与えるために操作されるスキップキーを有し、
前記制御手段は、前記スキップキーが操作されてから操作解除されるまでの操作時間の長さと対応関係のある時間をスキップ量として設定することを特徴とする映像再生装置。
【発明の詳細な説明】
【技術分野】
【０００１】
本発明は、記録媒体に記録された信号を読取ってディスプレイ上に映像を再生する映像再生装置に関するものである。
【背景技術】
【０００２】
従来より、記録媒体から映像を再生する映像再生装置は、ユーザの操作により、映像の再生地点をスキップさせるスキップ処理を行うようにしたものがある。このような映像再生装置は、スキップキーが１回押された場合は、スキップ時間を１５秒に設定し、スキップキーが２回押された場合は、スキップ時間を１分に設定し、その後、早送りスキップボタンが押されると、設定されたスキップ時間だけスキップ処理を行うようにしたものが知られている（例えば、特許文献１参照）。
【０００３】
また、タイムサーチキーを押した後、数字キーを押してスキップ時間を設定し、その後、再度タイムサーチキーを押すと、設定されたスキップ時間でタイムサーチ処理を行うようにしたものも知られている（例えば、特許文献２参照）。また、サーチキーを押した後、数字キーを押してスキップ時間を設定し、その後、アップ・ダウンキーを押すと、設定されたスキップ時間でタイムサーチ処理を行うようにした映像再生装置も知られている（例えば、特許文献３参照）。
【０００４】
また、数字キーを所定時間以上押すと、数字キーがジャンプ時間を指定するためのキーに切り替えられ、その後、数字キーを押すと、押された数字キーの数値の分数（ふんすう）（例えば「３」を押した場合は３分）がジャンプ時間として設定されて、その設定されたジャンプ時間でジャンプ処理を行うようにした映像再生装置も知られている（例えば、特許文献４参照）。また、スキップさせたい時間をスキップ時間として入力することにより、スキップ時間分だけスキップ処理を行うようにした映像再生装置も知られている（例えば、特許文献５参照）。
【０００５】
さらに、映像の再生中にＣＭスキップキーを押し続けた場合は、ＣＭスキップキーを離すまで早送り再生を行い、映像の再生中にＣＭスキップキーを一瞬押した場合は、ＣＭスキップキーを再度押すか所定値に達するまで早送り再生するようにした映像再生装置も知られている（例えば、特許文献６参照）。また、映像の再生中に戻しキーが押されると、映像の再生位置を少しだけ戻して、映像を再生し直すようにした映像再生装置も知られている（例えば、特許文献７参照）。
【０００６】
一方、コンパクトディスクから曲を再生するＣＤプレイヤに関し、曲の演奏中のところでポーズ状態にあるときに、操作キーを一瞬押すと、次の曲の先頭へスキップさせるスキップモードになり、操作キーを所定時間以上押すと、曲の途中を探すための高速再生を行うマニュアルサーチモードになるようにしたものが知られている（例えば、特許文献８参照）。
【特許文献１】特開２００２−２２３４０８号公報
【特許文献２】特開２００２−２０８２６３号公報
【特許文献３】特開２０００−１２３５５３号公報
【特許文献４】特開２００３−１０９３６２号公報
【特許文献５】実用新案登録第３０９２９８５号公報
【特許文献６】特許第３２０８３４２号公報
【特許文献７】特開２００３−３２４６８６号公報
【特許文献８】特公平６−１０１１９０号公報
【発明の開示】
【発明が解決しようとする課題】
【０００７】
ところで、上述した従来の映像再生装置においては、より簡単な操作によって、ユーザが視聴したい目的のシーンを再生できるようにすることが求されている。すなわち、上述した特許文献１乃至特許文献７に記載の映像再生装置よりも、なお一層、簡単な操作によって、映像の再生地点をスキップさせることができ、しかも、スキップ量を任意にできることが要求されている。
【０００８】
本発明は、上記課題を解決するためになされたものであり、簡単な操作によって、映像の再生地点を様々なスキップ量でスキップさせることができ、ユーザの所望する映像シーンを容易に再生することができる映像再生装置を提供することを目的とする。
【課題を解決するための手段】
【０００９】
上記目的を達成するために請求項１の発明は、放送局から配信されるテレビ放送信号を受信する受信手段と、テレビ放送信号に含まれるテレビ番組の映像を録画するためのハードディスクと、受信手段で受信したテレビ放送信号を基に、テレビ番組の映像を本装置に接続されるディスプレイに映し出すための映像信号を生成する受信信号復調手段と、受信信号復調手段により生成された映像信号を基に、テレビ番組の映像をハードディスクに記録するための映像符号化信号を生成する符号化信号生成手段と、符号化信号生成手段により生成された映像符号化信号をハードディスクに記録する記録手段と、ハードディスクから映像符号化信号を読取る読取手段と、読取手段で読取った映像符号化信号を基に、ディスプレイにて映像を再生するための映像信号を生成する映像信号生成手段と、読取手段による映像符号化信号の読取り及び映像信号生成手段による映像信号の生成を制御することによりディスプレイでの映像の再生を制御する制御手段と、制御手段による映像の再生地点をスキップさせるためにユーザにより操作される操作手段とを備え、制御手段は、操作手段の操作に応じて映像の再生地点をスキップさせるスキップ処理を実行する映像再生装置において、操作手段は、時間の数値を選択するために操作される数字キーと、スキップの指令を与えるために押下操作されるスキップキーとを有し、制御手段は、映像の再生中に数字キーが操作されることにより選択された数値及び該数字キー操作の後に操作されるスキップキーの押し下げ時間に応じて、押し下げ時間が所定時間よりも短いときは、数値の秒数をスキップ量として設定し、押し下げ時間が所定時間よりも長いときは、数値の分数（ふんすう）をスキップ量として設定するスキップ量設定手段と、映像の再生中に数字キーが操作されたとき、該数字キーの操作により選択された数値をディスプレイに表示し、その後、スキップ量設定手段により設定された秒数又は分数（ふんすう）をディスプレイに表示する表示制御手段とを備え、スキップ量設定手段により設定されたスキップ量にてスキップ処理を実行するものである。
【００１０】
請求項２の発明は、映像を符号化した映像符号化信号が記録された記録媒体から映像符号化信号を読取る読取手段と、読取手段で読取った映像符号化信号を基に、本装置に接続されるディスプレイにて映像を再生するための映像信号を生成する映像信号生成手段と、読取手段による映像符号化信号の読取り及び映像信号生成手段による映像信号の生成を制御することによりディスプレイでの映像の再生を制御する制御手段と、制御手段による映像の再生地点をスキップさせるためにユーザにより操作される操作手段とを備え、制御手段は、操作手段の操作に応じて映像の再生地点をスキップさせるスキップ処理を実行する映像再生装置において、操作手段は、時間の数値を選択するために操作される数字キーと、スキップの指令を与えるために操作されるスキップキーとを有し、制御手段は、数字キーが操作されることにより選択された数値及びスキップキーの操作時間に応じて、該操作時間が所定時間よりも短いときは、数値と第１の対応関係がある時間をスキップ量として設定し、該操作時間が所定時間よりも長いときは、数値と第１の対応関係とは異なる第２の対応関係がある時間をスキップ量として設定するものである。
【００１１】
請求項３の発明は、放送局から配信されるテレビ放送信号を受信する受信手段と、テレビ放送信号に含まれるテレビ番組の映像を録画するためのハードディスクと、受信手段で受信したテレビ放送信号を基に、テレビ番組の映像を本装置に接続されるディスプレイに映し出すための映像信号を生成する受信信号復調手段と、受信信号復調手段により生成された映像信号を基に、テレビ番組の映像をハードディスクに記録するための映像符号化信号を生成する符号化信号生成手段と、符号化信号生成手段により生成された映像符号化信号をハードディスクに記録する記録手段と、ハードディスクから映像符号化信号を読取る読取手段と、読取手段で読取った映像符号化信号を基に、ディスプレイにて映像を再生するための映像信号を生成する映像信号生成手段と、読取手段による映像符号化信号の読取り及び映像信号生成手段による映像信号の生成を制御することによりディスプレイでの映像の再生を制御する制御手段と、制御手段による映像の再生地点をスキップさせるためにユーザにより操作される操作手段とを備え、制御手段は、操作手段の操作に応じて映像の再生地点をスキップさせるスキップ処理を実行する映像再生装置において、操作手段は、時間の数値を選択するために操作される数字キーと、スキップの指令を与えるために操作されるスキップキーと、映像の早送り再生の指令を与えるために操作されるサーチキーとを有し、制御手段は、映像の再生中に数字キーが操作されることにより選択された数値及び該数字キー操作の後に操作されるスキップキー又はサーチキーの操作に応じて、スキップキーが操作されたときは、数値の秒数をスキップ量として設定し、サーチキーが操作されたときは、数値の分数（ふんすう）をスキップ量として設定するスキップ量設定手段と、映像の再生中に数字キーが操作されたとき、該数字キーの操作により選択された数値をディスプレイに表示し、その後、スキップ量設定手段により設定された秒数又は分数（ふんすう）をディスプレイに表示する表示制御手段とを備え、スキップ量設定手段により設定されたスキップ量にてスキップ処理を実行するものである。
【００１２】
請求項４の発明は、映像を符号化した映像符号化信号が記録された記録媒体から映像符号化信号を読取る読取手段と、読取手段で読取った映像符号化信号を基に、本装置に接続されるディスプレイにて映像を再生するための映像信号を生成する映像信号生成手段と、読取手段による映像符号化信号の読取り及び映像信号生成手段による映像信号の生成を制御することによりディスプレイでの映像の再生を制御する制御手段と、制御手段による映像の再生地点をスキップさせるためにユーザにより操作される操作手段とを備え、制御手段は、操作手段の操作に応じて映像の再生地点をスキップさせるスキップ処理を実行する映像再生装置において、操作手段は、時間の数値を選択するために操作される数字キーと、スキップの指令を与えるために操作されるスキップキーと、映像の早送り再生の指令を与えるために操作されるサーチキーとを有し、制御手段は、数字キーが操作されることにより選択された数値及びスキップキー又はサーチキーの操作に応じて、スキップキーが操作されたときは、数値と第１の対応関係がある時間をスキップ量として設定し、サーチキーが操作されたときは、数値と第１の対応関係とは異なる第２の対応関係がある時間をスキップ量として設定するものである。
【００１３】
請求項５の発明は、放送局から配信されるテレビ放送信号を受信する受信手段と、テレビ放送信号に含まれるテレビ番組の映像を録画するためのハードディスクと、受信手段で受信したテレビ放送信号を基に、テレビ番組の映像を本装置に接続されるディスプレイに映し出すための映像信号を生成する受信信号復調手段と、受信信号復調手段により生成された映像信号を基に、テレビ番組の映像をハードディスクに記録するための映像符号化信号を生成する符号化信号生成手段と、符号化信号生成手段により生成された映像符号化信号をハードディスクに記録する記録手段と、ハードディスクから映像符号化信号を読取る読取手段と、読取手段で読取った映像符号化信号を基に、ディスプレイにて映像を再生するための映像信号を生成する映像信号生成手段と、読取手段による映像符号化信号の読取り及び映像信号生成手段による映像信号の生成を制御することによりディスプレイでの映像の再生を制御する制御手段と、制御手段による映像の再生地点をスキップさせるためにユーザにより操作される操作手段とを備え、制御手段は、操作手段の操作に応じて映像の再生地点をスキップさせるスキップ処理を実行する映像再生装置において、操作手段は、スキップの指令を与えるために押下操作されるスキップキーを有し、制御手段は、映像の再生中にスキップキーが押下された後に押下解除されると、スキップキーの押下時間がｎ秒であった場合、ｎ分をスキップ量として設定するスキップ量設定手段と、映像の再生中にスキップキーが押下されている間、スキップ量設定手段によりスキップキーを押下解除したときに設定されるスキップ量をディスプレイに表示する表示制御手段とを備え、スキップ量設定手段により設定されたスキップ量にてスキップ処理を実行するものである。
【００１４】
請求項６の発明は、映像を符号化した映像符号化信号が記録された記録媒体から映像符号化信号を読取る読取手段と、読取手段で読取った映像符号化信号を基に、本装置に接続されるディスプレイにて映像を再生するための映像信号を生成する映像信号生成手段と、読取手段による映像符号化信号の読取り及び映像信号生成手段による映像信号の生成を制御することによりディスプレイでの映像の再生を制御する制御手段と、制御手段による映像の再生地点をスキップさせるためにユーザにより操作される操作手段とを備え、制御手段は、操作手段の操作に応じて映像の再生地点をスキップさせるスキップ処理を実行する映像再生装置において、操作手段は、スキップの指令を与えるために操作されるスキップキーを有し、制御手段は、スキップキーが操作されてから操作解除されるまでの操作時間の長さと対応関係のある時間をスキップ量として設定するものである。
【発明の効果】
【００１５】
請求項１の発明によれば、映像の再生中に数字キーにより数値を選択し、その後、スキップキーを１回押下するだけで、スキップ量を秒単位又は分単位で任意の時間に設定することができ、しかも、スキップ処理を実行させることができる。従って、簡単な操作によって、映像の再生地点を様々なスキップ量でスキップさせることができ、ユーザの所望する映像シーンを容易に再生することできる。また、数字キーにより選択した数値がディスプレイに表示されるため、選択した数値を確認でき、数字キーの押し間違い等による意図しないスキップ量でのスキップ処理を未然に防止できる。さらに、スキップ量として設定された時間がディスプレイに表示されるため、実行されたスキップ処理がユーザの意図したスキップ量によるものかどうかを判断でき、混乱することなくスキップ処理を繰り返して所望の映像シーンを探し出すことができる。
【００１６】
請求項２の発明によれば、数字キーによる数値の選択とスキップキーの１回の操作だけで、スキップ量を様々な時間に設定することができ、従って、簡単な操作によって、ユーザの所望する映像シーンを容易に再生することできる。
【００１７】
請求項３の発明によれば、映像の再生中に数字キーにより数値を選択し、その後、スキップキー又はサーチキーを１回操作するだけで、スキップ量を秒単位又は分単位で任意の時間に設定することができ、しかも、スキップ処理を実行させることができる。従って、簡単な操作によって、映像の再生地点を様々なスキップ量でスキップさせることができ、ユーザの所望する映像シーンを容易に再生することできる。また、数字キーにより選択した数値がディスプレイに表示されるため、選択した数値を確認でき、数字キーの押し間違い等による意図しないスキップ量でのスキップ処理を未然に防止できる。さらに、スキップ量として設定された時間がディスプレイに表示されるため、実行されたスキップ処理がユーザの意図したスキップ量によるものかどうかを判断でき、混乱することなくスキップ処理を繰り返して所望の映像シーンを探し出すことができる。
【００１８】
請求項４の発明によれば、数字キーによる数値の選択とスキップキー又はサーチキーの１回の操作だけで、スキップ量を様々な時間に設定することができ、従って、簡単な操作によって、ユーザの所望する映像シーンを容易に再生することできる。
【００１９】
請求項５の発明によれば、映像の再生中にスキップキーを１回押下するだけで、スキップ量を分単位で任意の時間に設定することができ、しかも、スキップ処理を実行させることができる。従って、簡単な操作によって、映像の再生地点を様々なスキップ量でスキップさせることができ、ユーザの所望する映像シーンを容易に再生することできる。また、スキップキーを押下している間、スキップキーを押下解除したときに設定されるスキップ量がディスプレイに表示されるため、その表示を見ながらスキップキーを押下し続けることで、意図するスキップ量を容易に設定することができる。さらに、設定されるスキップ量がディスプレイに表示されることにより、混乱することなくスキップ処理を繰り返して所望の映像シーンを探し出すことができる。
【００２０】
請求項６の発明によれば、スキップキーの１回の操作だけで、スキップ量を様々な時間に設定することができ、従って、簡単な操作によって、ユーザの所望する映像シーンを容易に再生することできる。
【発明を実施するための最良の形態】
【００２１】
以下、本発明を具体化した実施形態による映像再生装置について図面を参照して説明する。
＜第１の実施形態＞
まず、第１の実施形態について説明する。図１は、映像再生装置であるハードディスクレコーダの概略構成を示し、図２は、ハードディスクレコーダに内蔵のＨＤＤ（ハードディスクドライブ）の概略構成を示す。
【００２２】
ハードディスクレコーダ１は、放送局から配信されるテレビ放送信号を本装置に接続されるアンテナ２を介して受信し、テレビ放送信号に含まれるテレビ番組の映像をＨＤＤ１４に内蔵の記録媒体であるハードディスク４１に録画すると共に、ハードディスク４１に録画した映像を本装置に接続されるディスプレイ３にて再生する装置である。このハードディスクレコーダ１は、ユーザの操作により、映像の再生地点をスキップさせるスキップ処理を行うようになっている。
【００２３】
ハードディスクレコーダ１は、ハードディスクレコーダ１を制御するためのＣＰＵ等からなるシステム制御部１１と、放送信号受信部１２と、受信信号復調部１３と、ＨＤＤ１４と、映像・音声信号／符号化信号生成部１５と、操作手段であるリモコン１６と、リモコン受信部１７と、ＯＳＤ処理部１８と、ＲＯＭ１９とを備えている。
【００２４】
放送信号受信部１２は、システム制御部１１による制御のもと、その受信周波数を放送局から配信されるテレビ放送信号の周波数に同調させることにより、テレビ放送信号をアンテナ２を介して受信する。
【００２５】
受信信号復調部１３は、システム制御部１１による制御のもと、放送信号受信部１２で受信したテレビ放送信号を復調し、テレビ放送信号に含まれるテレビ番組の映像・音声をディスプレイ３及びスピーカ４に表示・出力するための映像・音声信号を生成する。受信信号復調部１３にて生成された映像・音声信号は、ＯＳＤ処理部１８を介してディスプレイ３及びスピーカ４に出力される。これにより、テレビ放送の映像・音声がディスプレイ３及びスピーカ４にて表示・出力される。また、受信信号復調部１３にて生成された映像・音声信号は、映像・音声信号／符号化信号生成部１５に出力される。
【００２６】
ＨＤＤ１４は、複数枚のハードディスク４１と、複数の磁気ヘッド４２と、ヘッド駆動部４３と、バッファメモリ４４と、ＨＤＤ制御部４５とを備えている。ハードディスク４１は、テレビ放送信号に含まれるテレビ番組の映像・音声を符号化した映像・音声符号化信号を記録（すなわちテレビ番組の映像・音声を録画・録音）するための記録媒体である。磁気ヘッド４２は、ヘッド駆動部４３により駆動されて、ハードディスク４１に対して映像・音声符号化信号の記録／読取を行う。バッファメモリ４４は、ハードディスク４１に記録する映像・音声符号化信号、及びハードディスク４１から読取った映像・音声符号化信号を一時的に保存する。
【００２７】
ＨＤＤ制御部４５は、システム制御部１１による制御のもと、ハードディスク４１に対する映像・音声符号化信号の記録／読取を含むＨＤＤ１４全体の動作を制御する。磁気ヘッド４２、ヘッド駆動部４３、及びＨＤＤ制御部４５により、映像・音声符号化信号をハードディスク４１に記録する記録手段、及びハードディスク４１から映像・音声符号化信号を読取る読取手段が構成されている。
【００２８】
ＨＤＤ１４は、システム制御部１１による制御のもと、ＨＤＤ制御部４５に入力される映像・音声符号化信号をハードディスク４１に記録し、また、ハードディスク４１に記録された映像・音声符号化信号を読取ってＨＤＤ制御部４５から出力する。
【００２９】
映像・音声信号／符号化信号生成部１５は、システム制御部１１による制御のもと、受信信号復調部１３にて生成された映像・音声信号を基に、テレビ放送信号に含まれるテレビ番組の映像・音声をハードディスク４１に記録するための映像・音声符号化信号を生成する。映像・音声信号／符号化信号生成部１５にて生成された映像・音声符号化信号は、ＨＤＤ１４のＨＤＤ制御部４５に入力され、ＨＤＤ１４は、システム制御部１１による制御のもと、その映像・音声符号化信号をハードディスク４１に記録する。これにより、テレビ放送信号に含まれるテレビ番組の映像・音声を符号化した映像・音声符号化信号がハードディスク４１に記録（すなわちテレビ番組の映像・音声がハードディスク４１に録画・録音）される。
【００３０】
また、映像・音声信号／符号化信号生成部１５は、システム制御部１１による制御のもと、ハードディスク４１から読取られてＨＤＤ１４から出力される映像・音声符号化信号を基に、映像・音声をディスプレイ３及びスピーカ４にて再生するための映像・音声信号を生成する。映像・音声信号／符号化信号生成部１５にて生成された映像・音声信号は、ＯＳＤ処理部１８を介してディスプレイ３及びスピーカ４に出力される。これにより、ＨＤＤ１４に記録されている映像・音声符号化信号による映像・音声（すなわちハードディスク４１に録画・録音されているテレビ番組の映像・音声）がディスプレイ３及びスピーカ４にて再生される。
【００３１】
リモコン１６は、ハードディスクレコーダ１の各種動作を指示するためにユーザにより操作されるものであり、後述する各種操作キーを備えており、各種操作キーが操作されることにより、その操作に応じた赤外線コード信号を送出する。リモコン受信部１７は、リモコン１６から送出された赤外線コード信号を受光して電気信号に変換し、リモコン１６の操作に対応する信号をシステム制御部１１へ出力する。
【００３２】
ＯＳＤ処理部１８は、システム制御部１１による制御のもと、リモコン１６の操作内容やメニュー画面等の画像をディスプレイ３に表示するための各種オンスクリーン表示信号を、受信信号復調部１３及び映像・音声信号／符号化信号生成部１５から出力される映像信号に重畳する。これにより、オンスクリーン表示信号による画像が重ねられた映像がディスプレイ３に表示される。ＲＯＭ１９は、システム制御部１１の動作プログラムを格納している。
【００３３】
システム制御部１１は、リモコン受信部１７からの出力信号を基にリモコン１６の操作内容を判断し、リモコン１６の操作に応じて、以下の動作を制御する。（１）放送信号受信部１２の受信周波数を制御することにより、テレビ放送信号の受信を制御する。（２）映像・音声信号／符号化信号生成部１５による映像・音声符号化信号の生成、及びＨＤＤ１４によるハードディスク４１への映像・音声符号化信号の記録を制御することにより、テレビ放送信号に含まれるテレビ番組の映像・音声のハードディスク４１への録画を制御する。（３）ＨＤＤ１４によるハードディスク４１からの映像・音声符号化信号の読取り、及び映像・音声信号／符号化信号生成部１５による映像・音声信号の生成を制御することにより、ハードディスク４１に録画されたテレビ番組の映像・音声のディスプレイ３及びスピーカ４での再生を制御する。（４）リモコン１６の操作内容やメニュー画面等の画像をディスプレイ３にて表示するための各種オンスクリーン表示信号を生成し、そのオンススクリーン表示信号をＯＳＤ処理部１８に出力することにより、ディスプレイ３での各種オンスクリーン画像の表示を制御する。
【００３４】
また、システム制御部１１は、ハードディスク４１に録画されたテレビ番組の映像・音声の再生中において、リモコン１６の操作に応じて、映像・音声の再生地点をスキップさせるスキップ処理を実行する。また、システム制御部１１は、リモコン１６の操作に応じて、スキップ量を設定すると共に、スキップ量の選択・設定に関するオンスクリーン画像をディスプレイ３に表示する処理を行う。
【００３５】
図３は、上記リモコン１６の構成を示す。リモコン１６は、ハードディスクレコーダ１に各種指令を与えるためにユーザにより押下操作される操作キーとして、電源キー６１、数字キー６２、録画キー６３、再生キー６４、停止キー６５、一時停止キー６６、スキップキー６７、サーチキー６８，６９，７０、メニューキー７１、カーソルキー７２〜７５、及び決定キー７６を備え、また、これらの操作キーの操作に応じて赤外線コード信号を送出する投光部６０を備えている。
【００３６】
電源キー６１は、ハードディスクレコーダ１の電源をオン／オフするためのキーである。数字キー６２は、数値を選択するためのキーであり、テレビ放送信号の受信チャンネルの選択や、録画・録音されたテレビ番組の映像・音声の再生地点をスキップさせるスキップ量の選択等に利用される。
【００３７】
録画キー６３は、テレビ番組の映像・音声を録画・録音する指令を与えるためのキーである。再生キー６４は、録画・録音したテレビ番組の映像・音声を通常再生する指令を与えるためのキーであり、停止キー６５は、映像・音声の再生を停止する指令を与えるためのキーである。一時停止キー６６は、再生中の映像・音声を一時停止する指令を与えるためのキーである。
【００３８】
スキップキー６７は、再生中の映像・音声のスキップ処理を実行する指令を与えるためのキーである。サーチキー６８，６９，７０は、各々、通常再生の３０倍、６０倍、１２０倍の速度で早送り再生する指令を与えるためのキーである。
【００３９】
メニューキー７１は、ハードディスクレコーダ１の各種動作を選択指示するメニュー画面をディスプレイ３に表示させるためのキーである。カーソルキー７２〜７５は、メニュー画面上のカーソルを移動させて項目選択するためのキーであり、決定キー７６は、カーソルキー７２〜７５による項目の選択を決定するためのキーである。リモコン１６は、これらの操作キーの操作に応じて、その操作に対応付けられた赤外線コード信号を投光部６０から送出する。
【００４０】
図４は、上記ハードディスクレコーダ１のシステム制御部１１による映像・音声のスキップ処理を含む映像・音声の再生動作のフローチャートを示し、図５は、リモコン１６でスキップ処理を指示するディスプレイ３での画像表示例を示す。
【００４１】
システム制御部１１は、テレビ放送信号の受信中や各種動作の指示待ち等の通常処理中に（＃１）、リモコン１６の再生キー６４が押下されると（＃２でＹＥＳ）、ハードディスク４１に録画されているテレビ番組の映像・音声をディスプレイ３及びスピーカ４にて再生する再生処理を開始する（＃３）。
【００４２】
再生処理の開始後、システム制御部１１は、再生処理を継続し（＃４）、数字キー６２が押下されず（＃５でＮＯ）、停止キー６５も押下されなければ（＃６でＮＯ）、再生処理を継続してゆく。このとき、ディスプレイ３には、例えば図５に示すように、再生中の映像３１ａが表示される。再生処理の継続中に停止キー６５が押下されると（＃６でＹＥＳ）、システム制御部１１は、再生処理を終了する（＃７）。
【００４３】
再生処理の継続中に数字キー６２が押下されると（＃５でＹＥＳ）、システム制御部１１は、数字キー６２の押下により選択された数値ｎを示すオンスクリーン画像を、ディスプレイ３にて再生中の映像に重ねて表示する処理を行う（＃８）。このとき、ディスプレイ３には、例えば図５に示すように、再生中の映像３１ｂに、数値ｎを示すオンスクリーン画像３２ａが重ねて表示される。図５に示す例では、数字キー６２の押下により数値「１５」が選択された場合を示しており、数値ｎを示すオンスクリーン画像３２ａとして「１５」が表示されている。
【００４４】
その後、スキップキー６７が短く押されると、すなわちスキップキー６７が押下されてから押下解除されるまでの時間が所定時間よりも短いと（＃９でＹＥＳ）、システム制御部１１は、スキップ量をｎ秒に設定、すなわち上記＃５で数字キー６２の押下により選択された数値ｎの秒数をスキップ量として設定する（＃１０）。図５に示す例では、１５秒がスキップ量として設定されることになる。
【００４５】
続いて、システム制御部１１は、数値ｎに時間の単位が秒であることを示す文字を付加したオンスクリーン画像、すなわち上記＃１０でスキップ量として設定した秒数を示すオンスクリーン画像を、ディスプレイ３にて再生中の映像に重ねて表示する処理を行う（＃１１）。このとき、ディスプレイ３には、例えば図５に示すように、再生中の映像３１ｃに、スキップ量として設定された秒数を示すオンスクリーン画像３２ｂが重ねて表示される。図５に示す例では、時間の単位が秒であることを示す文字として「Ｓ」が用いられており、設定された秒数を示すオンスクリーン画像３２ｂとして「１５Ｓ」が表示されている。
【００４６】
そして、システム制御部１１は、設定したスキップ量にて映像・音声の再生地点をスキップさせるスキップ処理を実行し（＃１５）、スキップ量として設定された秒数を示すオンスクリーン画像を消去した後、再生処理を再開する（＃１６）。図５に示す例では、スキップ量が１５秒に設定されているため、映像・音声の再生地点が１５秒間分スキップされ、すなわち１５秒間分の映像がスキップされて、１５秒後の地点から映像の再生が再開されることになる。従って、ディスプレイ３には、図５に示すように、１５秒後の地点から再生が再開された再生中の映像３１ｄが表示される。
【００４７】
一方、スキップキー６７が長く押されると、すなわちスキップキー６７が押下されてから押下解除されるまでの時間が所定時間よりも長いと（＃１２でＹＥＳ）、システム制御部１１は、スキップ量をｎ分に設定、すなわち上記＃５で数字キー６２の押下により選択された数値ｎの分数（ふんすう）をスキップ量として設定する（＃１３）。図５に示す例では、１５分がスキップ量として設定されることになる。
【００４８】
続いて、システム制御部１１は、数値ｎに時間の単位が分であることを示す文字を付加したオンスクリーン画像、すなわち上記＃１３でスキップ量として設定した分数（ふんすう）を示すオンスクリーン画像を、ディスプレイ３にて再生中の映像に重ねて表示する処理を行う（＃１４）。このとき、ディスプレイ３には、例えば図５に示すように、再生中の映像３１ｅに、スキップ量として設定された分数（ふんすう）を示すオンスクリーン画像３２ｃが重ねて表示される。図５に示す例では、時間の単位が分であることを示す文字として「Ｍ」が用いられており、設定された分数（ふんすう）を示すオンスクリーン画像３２ｃとして「１５Ｍ」が表示されている。
【００４９】
そして、システム制御部１１は、上記＃９〜＃１１の処理を経由した場合と同様に、設定したスキップ量にて映像・音声の再生地点をスキップさせるスキップ処理を実行し（＃１５）、スキップ量として設定された分数（ふんすう）を示すオンスクリーン画像を消去した後、再生処理を再開する（＃１６）。図５に示す例では、スキップ量が１５分に設定されているため、映像・音声の再生地点が１５分間分スキップされ、すなわち１５分間分の映像がスキップされて、１５分後の地点から映像の再生が再開されることになる。従って、ディスプレイ３には、図５に示すように、１５分後の地点から再生が再開された再生中の映像３１ｆが表示される。スキップ処理を実行して再生処理を再開した後、システム制御部１１は、上記＃４以降の処理を繰り返す。
【００５０】
このような構成のハードディスクレコーダ１によれば、映像の再生中に数字キー６２を操作して数値を選択し、その後、スキップキー６７を押下すると、スキップキー６７の押下時間が短いときは、数字キー６２により選択された数値の秒数がスキップ量に設定され、スキップキー６７の押下時間が長いときは、数字キー６２により選択された数値の分数（ふんすう）がスキップ量に設定されて、スキップ処理が実行される。すなわち、映像の再生中に数字キー６２を操作して数値を選択し、その後、スキップキー６７を１回押下するだけで、スキップ量を秒単位又は分単位で任意の時間に設定することができ、しかも、スキップ処理を実行させることができる。従って、簡単な操作によって、映像の再生地点を様々なスキップ量でスキップさせることができ、ユーザの所望する映像シーンを容易に再生することできる。
【００５１】
また、数字キー６２を操作して選択した数値がディスプレイ３に表示されるため、選択した数値を確認でき、数字キーの押し間違い等による意図しないスキップ量でのスキップ処理を未然に防止できる。さらに、スキップ量として設定された時間がディスプレイ３に表示されるため、実行されたスキップ処理がユーザの意図したスキップ量によるものかどうかを判断でき、混乱することなくスキップ処理を繰り返して所望の映像シーンを探し出すことができる。
【００５２】
＜第２の実施形態＞
次に、第２の実施形態について説明する。本実施形態の映像再生装置は、スキップ処理及びスキップ処理を指示する際のディスプレイでの表示画像が上記第１の実施形態と異なっている。本実施形態における他の構成は、上記第１の実施形態の構成と同様であり、その説明は省略する。以下、本実施形態について、上記第１の実施形態における図１乃至図３に示す符号を用いて説明する。
【００５３】
図６は、本実施形態におけるハードディスクレコーダ１のシステム制御部１１による映像・音声のスキップ処理を含む映像・音声の再生動作のフローチャートを示し、図７は、リモコン１６でスキップ処理を指示する際のディスプレイ３での画像表示例を示す。なお、図６における＃２１〜＃２７の処理は、上記第１の実施形態における図４の＃１〜＃７の処理と同様であり、その説明は省略する。
【００５４】
本実施形態のハードディスクレコーダ１では、再生処理の継続中にスキップキー６７が押下されると（＃２５でＹＥＳ）、システム制御部１１は、パラメータｎの値を「１」にする（＃２８）。そして、システム制御部１１は、数値ｎに時間の単位が分であることを示す文字を付加したオンスクリーン画像を、ディスプレイ３にて再生中の映像に重ねて表示する処理を行う（＃２９）。
【００５５】
このとき、ディスプレイ３には、例えば図７に示すように、再生中の映像３１ｉに、オンスクリーン画像３２ｉが重ねて表示される。図７に示す例では、時間の単位が分であることを示す文字として「Ｍ」が用いられており、今の場合、パラメータｎの値が「１」であるため、オンスクリーン画像３２ｉとして「０１Ｍ」が表示されている。
【００５６】
その後、スキップキー６７が押下解除されずに（＃３０でＮＯ）、スキップキー６７の押下持続時間がｎ秒を超えると（＃３１でＹＥＳ）、システム制御部１１は、パラメータｎの値を「１」増加させ（＃３２）、＃２９以降の処理を繰り返す。すなわち、システム制御部１１は、スキップキー６７が押下されている間、スキップキー６７の押下時間がｎ−１秒からｎ秒の範囲にあるときに、数値ｎに時間の単位が分であることを示す文字を付加したオンスクリーン画像を、再生中の映像に重ねて表示する処理を行う。
【００５７】
従って、ディスプレイ３には、例えば図７に示すように、スキップキー６７を押下してから１秒経過するまでは、再生中の映像３１ｉにオンスクリーン画像３２ｉとして「０１Ｍ」が重ねて表示され、例えば２秒経過した時点では、再生中の映像３１ｊにオンスクリーン画像３２ｊとして「０２Ｍ」が重ねて表示される。また、例えば５秒経過した時点では、再生中の映像３１ｋにオンスクリーン画像３２ｋとして「０５Ｍ」が重ねて表示される。
【００５８】
その後、スキップキー６７が押下解除されると（＃３０でＹＥＳ）、システム制御部１１は、スキップ量をｎ分に設定する（＃３３）。すなわち、システム制御部１１は、スキップキー６７が押下解除されたとき、スキップキー６７の押下時間がｎ−１秒からｎ秒の範囲であった場合、ｎ分をスキップ量として設定する。
【００５９】
このとき、スキップキー６７が押下解除される直前のディスプレイ３には、上記＃２９〜＃３２の処理により、数値ｎに時間の単位が分であることを示す文字を付加したオンスクリーン画像（図７の例では、オンスクリーン画像３２ｉ，３２ｊ，３２ｋ）が表示されている。つまり、スキップキー６７を押下している間にディスプレイ３にオンスクリーン画像として表示される時間は、スキップキー６７を押下解除したときに設定されるスキップ量を示している。従って、別の言い方をすれば、システム制御部１１は、スキップキー６７が押下解除されたとき、その直前にディスプレイ３にオンスクリーン画像として表示されている時間をスキップ量として設定する。
【００６０】
そして、システム制御部１１は、その設定したスキップ量にて映像・音声の再生地点をスキップさせるスキップ処理を実行し（＃３４）、スキップ量を示すオンスクリーン画像を消去した後、再生処理を再開する（＃３５）。スキップ処理を実行して再生処理を再開した後、システム制御部１１は、＃２１以降の処理を繰り返す。
【００６１】
このような構成のハードディスクレコーダ１によれば、映像の再生中にスキップキー６７を押下した後に押下解除すると、スキップキー６７の押下時間がｎ秒であった場合、ｎ分をスキップ量として、スキップ処理が実行される。すなわち、映像の再生中にスキップキー６２を１回押下するだけで、スキップ量を分単位で任意の時間に設定することができ、しかも、スキップ処理を実行させることができる。従って、簡単な操作によって、映像の再生地点を様々なスキップ量でスキップさせることができ、ユーザの所望する映像シーンを容易に再生することできる。
【００６２】
また、スキップキー６７を押下している間、スキップキー６７を押下解除したときに設定されるスキップ量がディスプレイ３に表示されるため、その表示を見ながらスキップキー６７を押下し続けることで、意図するスキップ量を容易に設定することができる。さらに、設定されるスキップ量がディスプレイ３に表示されることにより、混乱することなくスキップ処理を繰り返して所望の映像シーンを探し出すことができる。
【００６３】
なお、本発明は、上記各実施形態の構成に限られず、種々の変形が可能である。例えば、上記第１の実施形態において、映像の再生中に数字キー６２が押下されたとき、数字キー６２により選択された数値ｎを示す画像を再生中の映像に重ねて表示することに加えて、ｎ秒だけスキップさせたときの再生映像とｎ分だけスキップさせたときの再生映像（図５の例では、１５秒後の再生映像と１５分後の再生映像）を現在再生中の映像に小さく重ねて表示するようにしてもよい。このような構成によれば、スキップ処理を行う前にスキップ処理後の再生映像を確認できるため、その映像を見てスキップ量を選択することにより、ユーザの所望する映像シーンに容易にスキップさせることできる。
【００６４】
また、上記第１の実施形態において、スキップキー６７が短く押された場合にスキップ量をｎ秒に設定し、スキップキー６７が長く押された場合にスキップ量をｎ分に設定することに限られず、例えば、スキップキー６７が短く押された場合にスキップ量をｎ分に設定し、スキップキー６７が長く押された場合にスキップ量をｎ×１０分に設定する等、スキップキー６７の押下時間の短長に応じて、各々異なる対応関係がある時間をスキップ量として設定するようにしてもよい。また、スキップキー６７の押下時間の短長に限られず、例えば１回押と素早い２回押し（いわゆるダブルクリック）等、異なる操作態様に応じて、異なる対応関係がある時間をスキップ量として設定するようにしてもよい。
【００６５】
さらに、上記第１の実施形態において、スキップキー６７が短く押された場合にスキップ量をｎ秒に設定し、スキップキー６７が長く押された場合にスキップ量をｎ分に設定することに代えて、例えば、スキップキー６７が押された場合にスキップ量をｎ秒に設定し、サーチキー６８，６９，７０の何れかが押された場合にスキップ量をｎ分に設定するようにしてもよい。このような構成によれば、映像の再生中に数字キー６２を操作して数値ｎを選択した後、スキップキー６７を押下すると、ｎ秒をスキップ量としてスキップ処理が実行され、サーチキー６８，６９，７０の何れかを押下すると、ｎ分をスキップ量としてスキップ処理が実行される。すなわち、映像の再生中に数字キー６２を操作して数値を選択し、その後、スキップキー６７、又はサーチキー６８，６９，７０の何れかを１回押下するだけで、スキップ量を秒単位又は分単位で任意の時間に設定することができ、しかも、スキップ処理を実行させることができる。従って、上記第１の実施形態と同様に、簡単な操作によって、映像の再生地点を様々なスキップ量でスキップさせることができ、ユーザの所望する映像シーンを容易に再生することできる。
【００６６】
また、上記第２の実施形態において、映像の再生中にスキップキー６７が押下されている間、スキップ量を示す画像を再生中の映像に重ねて表示することに加えて、その表示されているスキップ量だけスキップさせたときの再生映像を現在再生中の映像に小さく重ねて表示するようにしてもよい。このような構成によれば、スキップ処理を行う前にスキップ処理後の再生映像を確認できるため、その映像を見てスキップ量を選択することにより、ユーザの所望する映像シーンに容易にスキップさせることできる。
【００６７】
また、上記第１及び第２の実施形態において、スキップキー６７に代えて、例えばサーチキー６８，６９，７０、カーソルキー７２〜７５、決定キー７６等の特定の操作キーを用いて、同様の動作を行うようにしてもよい。また、本発明は、ハードディスクレコーダに限らず、ＤＶＤ（デジタルビデオディスク）プレイヤやＶＣＲ（ビデオカセットレコーダ）等の映像再生装置にも適用できるものである。
【図面の簡単な説明】
【００６８】
【図１】本発明の第１の実施形態によるハードディスクレコーダの概略構成を示す電気的ブロック構成図。
【図２】同ハードディスクレコーダのＨＤＤの概略構成を示す電気的ブロック構成図。
【図３】同ハードディスクレコーダのリモコンの構成を示す平面図。
【図４】同ハードディスクレコーダのスキップ処理を含む再生動作を示すフローチャート。
【図５】同ハードディスクレコーダのスキップ処理を指示する際のディスプレイでの画像表示例を示す図。
【図６】本発明の第２の実施形態によるハードディスクレコーダのスキップ処理を含む再生動作を示すフローチャート。
【図７】同ハードディスクレコーダのスキップ処理を指示する際のディスプレイでの画像表示例を示す図。
【符号の説明】
【００６９】
１    ハードディスクレコーダ（映像再生装置）
３    ディスプレイ
４    スピーカ
１１    システム制御部
１２    放送信号受信部
１３    受信信号復調部
１４    ＨＤＤ
１５    映像・音声信号／符号化信号生成部
１６    リモコン（操作手段）
３１ａ〜３１ｆ，３１ｉ〜３１ｋ    再生中の映像
３２ａ〜３２ｃ，３２ｉ〜３２ｋ    オンスクリーン画像
４１    ハードディスク（記録媒体）
４２    磁気ヘッド（記録手段、読取手段）
４３    ヘッド駆動部（記録手段、読取手段）
４５    ＨＤＤ制御部（記録手段、読取手段）
６２    数字キー
６３    録画キー
６４    再生キー
６７    スキップキー
６８，６９，７０    サーチキー
７２〜７５    カーソルキー
７６    決定キー
【図１】
2006041758.tif 000003
【図２】
2006041758.tif 000004
【図３】
2006041758.tif 000005
【図４】
2006041758.tif 000006
【図５】
2006041758.tif 000007
【図６】
2006041758.tif 000008
【図７】
2006041758.tif 000009